(57)【特許請求の範囲】
【請求項１】
アップライトピアノで、ピアノ弦に一定の打撃強度を、鍵への一時叩打と関係無く、複数の高速な押鍵圧力を連続的に印加しても、加えられるための改良した装置であって、前記装置には複数の鍵を備え、該鍵を揺動可能に鍵盤フレームに実装し、該鍵で、各々、反時計回りに斜めにした、ネジの長手方向に位置調節が可能な駆動要素を支持し、該駆動要素を傾斜揺動アームに相互連結させ、該傾斜揺動アームにより、枢動ピンを介して第１柱状要素を駆動させ、該第１柱状要素が堅固に連結された主要揺動ブリッジ組立体を枢動させ、該主要揺動ブリッジ組立体はハンマーのバットローラと当接することができる第１エスケープメント・レバーと共に動作可能に揺動し、該ハンマーを第２柱状要素に対して枢動させる装置であって、前記第２柱状要素には複数の調節ボタンを支持して第１及び第２エスケープメントを調節すること、前記主要揺動ブリッジ組立体には他の柱状要素を連結し、該他の柱状要素に対して第２エスケープメント・レバーを枢動させ、該第２エスケープメント・レバーには一の調節ボタンを支持してその動作角度を調節し、該第２エスケープメント・レバーは前記第１エスケープメント・レバーと協働し、該第１エスケープメント・レバーにも他の調節ボタンを支持すること、前記駆動要素は、略円筒形状を有し、前記駆動要素が有する前記ネジの長手方向の、前記駆動要素の位置を前記ネジで調節するネジ調節手段及び、前記傾斜揺動アームの下側端部で画定する凹輪郭の座部に係合可能な弓形端部を備えること、及び前記主要揺動ブリッジ組立体には第１ハンマーキャッチャーを支持し、該第１ハンマーキャッチャーは前記第２エスケープメント・レバーによって影響を受けず、キャッチャーシャンクのテール部に締着した第２ハンマーキャッチャーと協働させること、を特徴とする装置。
【請求項２】
各前記鍵は揺動可能に前記鍵盤フレームに実装され、該鍵のガイドスロットに収容される丸みを持った先端部が備えられたこと、を特徴とする請求項１に記載の装置。
【請求項３】
前記第１エスケープメント・レバーを略上方に伸長させ、前記主要揺動ブリッジ組立体に対して枢動させ、前記第１エスケープメント・レバーには前記第１エスケープメント・レバーと角度をなすテール部を備え、該テール部を前記第１エスケープメント用のボタンに取付けたパッド又はフェルト要素に当接するよう動作させること、を特徴とする請求項１又は２に記載の装置。
【請求項４】
前記装置にはパッド又はフェルト要素を更に備え、該要素をハンマー受バーに取付け、該バーをハンマーロッド用ストローク要素端部として機能させるよう構成すること、を特徴とする請求項１ないし３のうち、何れか１項に記載の装置。
【請求項５】
前記装置には、前記主要揺動ブリッジ組立体の他の柱状要素に、Ｖ字型バネを更に備え、該バネは第１エスケープメント・レバーと第２エスケープメント・レバーとの間で機能し、前記他の柱状要素に対して枢動すること、を特徴とする請求項１ないし４のうち、何れか１項に記載の装置。
【請求項６】
前記装置には、ピアノ弦音を減衰する、ダンパーレバーを有するダンパー要素を更に備え、前記ダンパー要素には、クランクレバーを備えて、その両端部に其々第１及び第２の金属製スプーン状要素を連結し、該第１及び第２の金属製スプーン状要素を其々前記鍵の端部及び前記ダンパーレバーの下側部と協働させ、該ダンパーレバーはその中央部周りで揺動でき、前記ダンパーレバーは、その他方端部で減衰用の仕組みであるフェルト又はパッド要素を支持し、該フェルト又はパッド要素をピアノ弦に作用させること、を特徴とする請求項１ないし５のうち、何れか１項に記載の装置。
【請求項７】
前記ハンマーには連結用ハンマーバットを有し、該ハンマーバットはその側端部で接着により、ハンマーテール部を、上方に傾斜させて支持し、該ハンマーテール部には、その下側端部を下方向に向け金属製アームで前記ハンマーテール部に固定された前記第２ハンマーキャッチャーを備え、前記第２柱状要素のピンに対して枢動されるダンパー装置が、金属製フォークの枢動ピンに対して枢動される摺動輪により駆動され、該摺動輪は、ダンパー組立体の下側端部に締着した楔状要素に作用し、該楔状要素は楔状態がネジ調節可能であり；鍵がそのエネルギーを与えると、前記傾斜揺動アームは、前記主要揺動ブリッジ組立体を付勢し、ハンマーバットローラ下にある、前記第１エスケープメント・レバー及び第２エスケープメント・レバーを介して、動作すること、を特徴とする請求項１ないし５のうち、何れか１項に記載の改良した装置。
【請求項８】
前記第２エスケープメント・レバーを、その動作ストローク中に、前記第２柱状要素に連結するボタンにより係止し、それにより角運動を提供し、該角運動は、前記第１エスケープメント・レバーが有するスプーン状要素に作用することで、前記第１エスケープメント・レバーを下降させ、それにより前記ハンマーを、ピアノ弦を叩打後に後方に、跳ね返り可能にして、第２ハンマーキャッチャーと協働する前記第１ハンマーキャッチャーに衝撃を与え、前記傾斜揺動アームには、その中間部分に、その枢動部分に係合する上側端部を有する調節用金属製ネジを備えたこと、を特徴とする請求項７に記載の改良した装置。
【請求項９】
前記主要揺動ブリッジ組立体には、その中央部分に、バネを前記主要揺動ブリッジ組立体の下側部分に存在させるようにそこを通過させるスロットを備え、バネの力を調節するための調節ネジを機能させて該バネの力を調節すること、を特徴とする請求項７または８に記載の改良した装置。
【請求項１０】
前記第１エスケープメント・レバーには、その下端部に、スプーン状要素を支持し、前記要素は前記第２エスケープメント・レバーの枢動点付近に締着するボタンと協働すること、を特徴とする請求項７ないし９のうち、何れか１項に記載の改良した装置。
【発明の詳細な説明】
【技術分野】
【０００１】
本発明は、アップライトピアノでダブルレペティション中に所謂マジックタッチ効果を獲得するための改良した機構に関する。周知のように、アップライトピアノは音楽的に、所謂マジックタッチを再生するのに適しておらず、該マジックタッチには、実際に、必要に応じて高レベルのエネルギーを提供し、ピアノ弦が一時叩打される際に、ピアノ弦が生成する音の倍音をコンパクトにする必要がある。
【背景技術】
【０００２】
上述したコンパクト化を達成するための従来の方法は、満足のいくものではなく、というのも機械的な観点から極めて複雑で、必要な倍音特性を生成するのに不適当だからである。
【発明の開示】
【０００３】
従って、本発明の狙いは、上述した問題を、アップライトピアノでダブルレペティションの所謂マジックタッチ効果を獲得するよう構成した装置を提供することにより解決することであり、該装置は構造的に極めて単純で、信頼性の高い構成及び構造の構成要素を極めて少数備える。
【０００４】
上述した狙いの範囲において、本発明の主な目的は、機械的に極めて効率的で、その上、特にアップライトピアノ用に設計しており、その２つのエスケープメントを、大型化又は干渉問題を発生させずに、容易に調節可能になるよう構成した、かかる装置を提供することである。
【０００５】
本発明の別の目的は、その独特な構造上の特徴のために、動作に関して極めて信頼性が高く且つ安全な、かかる装置を提供することである。
【０００６】
本発明の更に別の目的は、単に経済的観点からでも極めて優位性を有する、かかる装置を提供することである。
【０００７】
本発明の１態様によれば、上述した狙い及び目的だけでなく、更に他の目的についても、以下でより明白になるが、それらをアップライトピアノでダブルレペティション中に所謂マジックタッチ効果を提供するよう特別に設計した改良した装置によって、達成するが、該装置には、複数の鍵を備え、該鍵を揺動可能に鍵盤フレームに実装し、鍵で、其々、傾斜揺動アームと相互接続する駆動要素を支持し、次に該アームを主要揺動ブリッジ組立体に対して枢動させ、上記主要揺動ブリッジ組立体を動作可能に、第２柱状要素に対して枢動するハンマーバットローラに連結し、第１及び第２エスケープメントを調節するための複数の調節ボタンを支持し、他の柱状要素を上記揺動ブリッジ組立体に連結し、上記他の柱状要素に対して上記第２エスケープメントのレバーを枢動させ、該レバーでその動作角度を調節する調節ボタンを支持し、上記調節ボタン要素は更なる調節ボタン要素を支持する上記第１エスケープメントと協働すること、を特徴とする。
【０００８】
（発明を実施するための最良の形態）
本発明の更なる特徴及び効果については、以下の好適な、しかし専らではない、本発明の実施例に関する詳細な開示から明白になるが、該実施例を、限定ではなく、表示例として、添付図で説明する。
【０００９】
上述した図の参照番号を参照すると、この改良した装置は、特に所謂マジックタッチ効果をダブルレペティション中にアップライトピアノで提供するよう設計しており、本発明によれば、該装置には、複数の鍵１を備え、該鍵にはその自由端部に、それを楕円形先端部３に係合させて、鍵ガイド要素として動作するスロットを備え；図示するように、上記楕円形先端部３の下側に、鍵１の押下ストロークを減衰又は緩衝するパッド要素４を、設ける。
【００１０】
楕円形先端部３及びパッド要素４を鍵盤フレーム５に連結するが、該フレームで更なるパッド要素６も支持し、該要素を第２楕円形先端部７と関連させ、上記更なるパッド要素はガイドスロット８に係合させ、鍵盤の黒鍵９に関してこれを配設する。
【００１１】
上記鍵１及び９を、ガイドスロット１０を通して、固着した円形先端部１１に対して枢動させるが、該先端部は枢動ピン又は支点として機能して鍵を揺動可能にし、上記円形先端部１１はまた上記鍵盤フレーム５から突出する。
【００１２】
図示の通り、鍵１を、そのレスト状態では、更なるパッド要素１２を鍵盤フレーム５に取付けて、更に緩衝する。
【００１３】
鍵１は３その反対側端部で、金属製駆動要素１４を支持し、該要素を適当に反時計回りに傾斜させ、これをネジ調節可能にし、その上部には、弓形端部を持つ円筒形状を有して、推進力を傾斜揺動アーム１５に送る。なお、本願発明において、「反時計回り」及び「時計回り」とは、図１等に示すように、アップライトピアノの概ね水平の位置の鍵１を、鍵１の自由端部が右側となる長手方向と直角の方向から見たときの「左回り」及び「右回り」の意味である。
【００１４】
該アームにより実質的にニージョイント・レバーを提供し、該レバーを連続エネルギー又は動力エスケープメント・レバーと見なして、このレバーの角度を変化させて押鍵の加減速を制御する。
【００１５】
上記レバーには、その底部に、凹状輪郭を備え、その中に小さな緩衝用パッド又はフェルト１６を収容し、該パッド又はフェルトは駆動要素１４係合部を緩衝する機能を果たす。
【００１６】
上述した傾斜揺動アーム１５を、次に、枢動ピン１７で、第１柱状要素１８に対して枢動させ、該要素で更なる軸受パッド又はフェルトを支持して、そこで傾斜揺動アーム１５を支える。
【００１７】
第１柱状要素１８を、例えば接着剤で、主要揺動ブリッジ組立体１９に堅固に連結し、該組立体をフォーク状要素２０に関して、水平枢動ピン２１と接して、揺動可能にするが、該枢動ピンをロッドＮＫに固定し、該ロッドを、ネジで、装置のフレームワークに連結する。
【００１８】
主要ブリッジ組立体１９により、該ブリッジ組立体１９の軸（Ａ）と２本の枢動ピン２１及び３６を結ぶ軸とが異なる割合である角度Ｗを画定する。
【００１９】
上記主要ブリッジ組立体では更に金属製ロッド２２を支持し、該ロッドには、その上側自由端部に、第１ハンマー当接部又はキャッチャー２３を備え、該当接部又はキャッチャー２３は、第２ハンマー当接部又はキャッチャー２４と協働し、該第２ハンマー当接部又はキャッチャーを、金属製ロッド２５を介して、ハンマー組立体のキャッチャーシャンク２６に取付けるが、該ハンマー組立体を一般に参照番号２７で示す。
【００２０】
ハンマー２７のバット要素を枢動ピン２８について枢動させ、該枢動ピン２８を第２柱状要素２９に連結し、該第２柱状要素を、連結ネジ３０により、金属製フレーム３１に連結し、該フレームを次に本機構のフレームワーク３２に連結させる。
【００２１】
前記第２柱状要素２９を通して、貫通開口部３３を設け、該開口部に金属製ロッドを係合させ、該ロッドは、その下側端部で、第１調節ボタン３４を支持して、第１エスケープメントを調節し、該エスケープメントのレバー３５を枢動ピン３６周りに上記主要ブリッジ組立体１９に対して枢動させる。
【００２２】
上記レバー３５には、次に、テール部３７を設け、該テール部を緩衝パッド又はフェルト３８に当接するよう構成するが、該パッド又はフェルトは第１エスケープメントのボタン３４に連結させる。  
【００２３】
図２を参照すると、鍵により、それが回転運動する際に、力又はエネルギーを伝動すると、レバー又はジャック３５が、ハンマーフェルト４１を駆動させるローラ４０から外れ、それによりその反時計回りの叩打を終えても、ピン３６はブリッジ組立体１９の枢動ピンと直線を成す水平線に到達せず、枢動ピン２１の水平線の高さから上方に大きく離隔したままとなる。
【００２４】
図示の通り、ローラ４０を接続バット２７に、ハンマー２７の連結ピン４２を介して、そのバットポイント４３で関連させる。
【００２５】
上記ハンマーのバットポイント４３によりハンマーフェルト４１のロッド４４を支持し、該ハンマーフェルトを、次に、ハンマー成形体４５で支持する。
【００２６】
ハンマーロッド、又はシャンク４４は、ピアノ弦を叩打し跳ね返った後に、揺動運動でき、ストロークの終わりで又はその限定部分を制動フェルト又はパッド４６で制動し、該フェルト又はパッドをハンマー受バー４７に取付け、該バーをフレームワークのポイント４８に固着する。
【００２７】
指摘すべきは、本装置には他の柱状要素４９を備え、該他の柱状要素を主要ブリッジ組立体１９の中間部分に配設し、該他の柱状要素にはＶ字型バネ５０を含み、該バネを取着点５１で接続し、該取着点を該他の柱状要素４９に関して設けて、該バネ端部を第２エスケープメントのレバー５２及び第１エスケープメントのレバー３５に作用させる。
【００２８】
より詳しくは、第２エスケープメントのレバー５２を、他の柱状要素４９に対して、水平に延在する枢動ピン５３を介して枢動させる。
【００２９】
バネ５０により、時計回りに第１エスケープメントのレバー３５及び第２エスケープメントのレバー５２を其々付勢する。  
【００３０】
上記レバー３５及び５２にはボタン要素５４及び５５を備え、該要素を調節ネジ５６及び５７で支持する。
【００３１】
本発明による装置には、その上、揺動運動緩衝要素を備え、該要素を参照番号５８で示すが、該要素にはクランクレバー５９を備え、該レバーを枢動ピン６９について枢動させ、該ピンをバー又はロッド６１に取付ける。
【００３２】
緩衝又はダンパー要素のペダル６２を、ダンパー又は緩衝レバー６７の金属体６３に連結する。
【００３３】
上記レバー５９には、その端部に、第１の金属製スプーン状要素６４を備え、該要素を鍵１の端部と協働させ、上記鍵で支持するパッド又はフェルト６５に当接させる。
【００３４】
レバー５９を、常にバネ６０によりフェルト又はパッド６８に当接させた状態に付勢する。
【００３５】
第２の金属スプーン状要素６６は、緩衝フェルト又はパッド６８を含むダンパーレバー６７の下端部と協働し、該レバーを揺動ピン５８周りに揺動させるよう構成する。
【００３６】
ダンパーレバー６７は、その他方端部で、金属製アーム７０を支持し、該アームでフェルト又はパッド７１を、支持要素７２を介して、受け、これを付勢バネ７４により、倍音を提供するピアノ弦７３に対して付勢する。
【００３７】
このように、本発明装置の部品要素は協働して、ピアノ弦に一定の打撃強度を、鍵１に印加される動態的圧力と関係無く、複数の高速な押鍵圧力を連続的に印加しても、加える。
【００３８】
傾斜揺動アーム１５を、レバー３５を用いて、対象の機構に高機械効率を提供し、ハンマー機構２７を利するよう構成する適当な角度を提供するよう設計及び配設する。  
【００３９】
図３では、主にバー又はロッド９４に関して更に簡潔化した装置についての変更実施例を示し、該バー又ロッドにより二重フォークを有する第２柱状要素２９を支持して、ハンマー４４を第２柱状要素２９の枢動ピン２８で枢動する連結バットに固定して揺動可能にしている；このクランプ機構を、プレート７５を締付ネジ７６でバット要素４３にクランプ固定して形成する。
【００４０】
ハンマーバットにより、その側端部に、接着剤で、ハンマー２６のテール部を支持し、該ハンマーを適当に上方に時計回りに傾斜させ、該ハンマーにはハンマーキャッチャー２４を備え、該キャッチャーの下側端部は下方に延在させ、該キャッチャーは金属製アーム２５を介してテール部２６に固定する。
【００４１】
ダンパー装置６７を第２柱状要素２９の枢動ピン５８に対して枢動させるが、該ダンパー装置を、運動中に、摺動輪８７を金属製フォーク８６の枢動ピンに対して回転させて駆動し、該摺動輪は、運動部分で、ダンパー６７の下側端部に固着した楔状要素８８に作用するが、該楔状要素は調節ネジ８９で調節可能とする。
【００４２】
エネルギーを、鍵を押下して伝動させると、傾斜揺動アーム１５は、主要ブリッジ組立体１９を付勢して、レバーを介して、ハンマーバット４３のローラ下にある第１エスケープメント３５及び第２エスケープメント５３に影響を及ぼす。
【００４３】
第２エスケープメントのレバーの動作ストロークを、第２柱状要素２９に連結する小ボタン要素９５で係止し、それにより、下方への角運動を提供するが、該角運動ではスプーン状要素８５に作用して、時計回り方向に第１エスケープメントのレバー３５を外し、それにより、ハンマー４４を、ピアノ弦を打弦後に後方に跳ね返し、その結果、図１及び図２を参照して概括的に開示したように、キャッチャー２５と協働するキャッチャー２４に衝撃を与える。
【００４４】
傾斜揺動アーム１５には、その中央部分に、調節用金属製ネジを備えており、その上端部を枢動ピン９３で枢動する部分に係合させており、該ネジは、それを反時計回りに回転させると、上方への付勢力を伝達する。
【００４５】
枢動ピン７８に対して枢動する部分に係合するその下端部では、上記ネジは、それを反時計回りに運動させる際に、その力を下方に伝達し、それにより対向側の部品を迅速に展開させる。
【００４６】
更なる他の柱状要素８０をブリッジ組立体１９に固定しており、該更なる他の柱状要素には幅広のスロットを備えて、第２エスケープメントのレバー５４の枢動ピン５１に対して枢動するバネ８１をそこに通過させる。
【００４７】
このようにして、バネで第１エスケープメントのレバー３５を反時計回り方向に付勢するが、それにより該レバーはフェルト又はパッド要素９３に当接し、該要素を適当に第２エスケープメントのレバーのスロット９１に係合させ、該第２エスケープメントを時計回りに付勢して調節ボタン５３で係止する。
【００４８】
ブリッジ組立体１９には、その中央部分で、スロット９０を備えてバネ８１をそこから通してブリッジ組立体の下側部分に存在させ、それにより第１及び第２エスケープメントのレバーの運動に関して弾力性を増大させる。
【００４９】
ネジ８４を調節ネジとして機能させ、バネ８１の力を調節する。
【００５０】
第１エスケープメントのレバー３５は、その下端部に、スプーン状要素８５を支持し、該要素を第２エスケープメントのレバー５１の枢動点付近に締着するボタン５５と協働させる。
【００５１】
ボタン５５を下降又は押下すると、それにより上記レバー５１に影響が及び、レバー３５を時計回りに外し、それによりハンマー４４がそのエネルギーをピアノ弦に対して自由に伝達可能になる。
【００５２】
上記の開示から、本発明により完全に意図した狙い及び目的を達成することが明白である。
【００５３】
特に、指摘すべきは、特別に設計した発明の構造的特徴により、極めて簡潔な装置を、多大な動作信頼性と共に、提供できることである。
【００５４】
本発明は、開示したように、幾つかの変更例及び変形例が可能だが、それら全てが本発明の範囲内となる。
【００５５】
例えば、水平線より上で、上向き方向に、動作するようにも構成した装置の実施例を設計可能である。
【００５６】
更に、全ての構造に関する詳細を、他の技術的等価要素と置換できる。
【００５７】
更にまた、本装置の更なる変更実施例を、有名なエラール（ＨＥＲＡＲＤ）式のバネを含む支点が可動な仕組みで動作するよう構成することも可能である。
【００５８】
本発明を実施する際に、使用する材料だけでなく付随する寸法及び形状を、必要条件及び当該技術の状況に従い、任意とできる。
【図面の簡単な説明】
【００５９】
【図１】本発明による動作機構について、そのレスト位置で、ロッドダンパー装置及びフレームを分離させた状態で、概略的に示す。
【図２】装置について、その鍵を駆動又は動作した状態で、概略的に示す。
【図３】前述した図と同様だが、本発明の装置を更に簡素化した実施例でこれを説明した図である。
【図４】本装置の更なるバージョンである。
【符号の説明】
【００６０】
１                    鍵
５                    鍵盤フレーム
６                    パッド要素
１０                  ガイドスロット
１１                  円形先端部
１４                  駆動要素
１５                  揺動アーム
１８                  第１柱状要素
２９                  第２柱状要素
４９                  他の柱状要素
８０                  更なる他の柱状要素
１９                  主要揺動ブリッジ組立体
２０、                フォーク状要素
２１、２８、３６、５８    枢動ピン
２２、２５        ロッド
２３、２４        キャッチャー
２６                  キャッチャーシャンク
２７                    ハンマー
３０、５６、５７、７６、８４、８９            ネジ
３１                  金属製フレーム
３５                  第１エスケープメント・レバー
３７                  テール部
３８、４５、６５、６８、７１、９３            パッド又はフェルト
４０                  ローラ
４１                  ハンマーフェルト
５０、６０、８１  バネ
５２                  第２エスケープメント・レバー
５３、５４、５５、９５    ボタン要素
６２                  ペダル
６３                  金属体
６４、８５        スプーン状要素
６７                  ダンパー装置
７０                  アーム
７３                  ピアノ弦
８６                  フォーク
８７                  摺動輪
８８                  楔状要素
９１                  スロット
９４                  バー又はロッド
【図１】
0005165374.tif 000002
【図２】
0005165374.tif 000003
【図４】
0005165374.tif 000004
【図３】
0005165374.tif 000005